(57)【要約】【課題】現在時刻のバックアップ可能時間を延長する。【解決手段】ワイヤレス送信器３は、電池ＤＣが接続される１対の接続端子３１，３２と、１対の接続端子３１，３２間に接続されるバックアップコンデンサ３３と、アノードが接続端子３１と接続しカソードがバックアップコンデンサ３３の一端と接続するダイオード３４と、電池ＤＣ又はバックアップコンデンサ３３によって駆動し現在時刻を計時する時計機能を有するマイクロコンピュータ３５とを備える。マイクロコンピュータ３５は、接続端子３１の電位と予め設定された閾値とを比較する。このとき、接続端子３１の電位が閾値以上の場合、マイクロコンピュータ３５は通常モードで動作する。これに対して、接続端子３１の電位が閾値より低くなると、マイクロコンピュータ３５は、１対の接続端子３１，３２間に電池ＤＣが装着されていないと判断し、低消費電力モードになる。【選択図】図１
2008294988.tif 000002
【特許請求の範囲】
【請求項１】
現在時刻が予め設定された時刻になったときに、負荷と接続するワイヤレス受信器に対して前記負荷をオンにさせるためのオン信号をワイヤレス信号によって送信するワイヤレス送信器であって、
電池が接続される１対の接続端子と、
前記１対の接続端子間に接続されるバックアップコンデンサと、
アノードが前記１対の接続端子の一方と接続しカソードが前記バックアップコンデンサの一端と接続するダイオードと、
前記電池又は前記バックアップコンデンサによって駆動し前記現在時刻を計時する時計機能を有するマイクロコンピュータと
を備え、
前記マイクロコンピュータが、前記一方の接続端子の電位と予め設定された閾値とを比較し、当該一方の接続端子の電位が前記閾値より低くなると低消費電力モードになる
ことを特徴とするワイヤレス送信器。
【発明の詳細な説明】
【技術分野】
【０００１】
本発明は、負荷と接続するワイヤレス受信器にワイヤレス信号を送信するワイヤレス送信器に関するものである。
【背景技術】
【０００２】
従来のワイヤレス送信器として、現在時刻が予め設定された時刻になったときに、負荷と接続するワイヤレス受信器に対して、負荷をオンにさせるためのオン信号をワイヤレス信号によって送信するものがある。このような従来のワイヤレス送信器の中には、電気配線が不要で使用者が自分の好みの場所に設置できるという点から、図３に示すように電池ＤＣを装着して駆動するものがある。
【０００３】
上記のように電池ＤＣで駆動する従来のワイヤレス送信器５は、マイクロコンピュータ５０が電池交換時に現在時刻を忘れてしまわないように、バックアップコンデンサ５１を備えている。これにより、ある程度の時間、電池ＤＣが取り付けられていなくても、マイクロコンピュータ５０は現在時刻を保持させることができる。
【０００４】
なお、特許文献１には、電源の短期間のバックアップを行うコンデンサ又は二次電池と、長期間のバックアップを行う一次電池との２段構成よりなるワイヤレス受信器用のバックアップ電源回路が開示されている。
【特許文献１】実公平７−２１０１４号公報（第３頁右欄第３８〜４８行及び図１）
【発明の開示】
【発明が解決しようとする課題】
【０００５】
しかしながら、従来のワイヤレス送信器５には、バックアップコンデンサ５１を備えるものの、上記パックアップコンデンサ５１の電位が短時間で下がってしまうため、電池交換に時間がかかると現在時刻を忘れてしまうという問題があった。
【０００６】
本発明は上記の点に鑑みて為されたものであり、その目的は、現在時刻のバックアップ可能時間を延長することができるワイヤレス送信器を提供することにある。
【課題を解決するための手段】
【０００７】
請求項１の発明は、現在時刻が予め設定された時刻になったときに、負荷と接続するワイヤレス受信器に対して前記負荷をオンにさせるためのオン信号をワイヤレス信号によって送信するワイヤレス送信器であって、電池が接続される１対の接続端子と、前記１対の接続端子間に接続されるバックアップコンデンサと、アノードが前記１対の接続端子の一方と接続しカソードが前記バックアップコンデンサの一端と接続するダイオードと、前記電池又は前記バックアップコンデンサによって駆動し前記現在時刻を計時する時計機能を有するマイクロコンピュータとを備え、前記マイクロコンピュータが、前記一方の接続端子の電位と予め設定された閾値とを比較し、当該一方の接続端子の電位が前記閾値より低くなると低消費電力モードになることを特徴とする。
【発明の効果】
【０００８】
請求項１によれば、例えば電池交換時などの場合に、マイクロコンピュータが低消費電力モードになり、消費電力を抑えることができるので、現在時刻のバックアップ可能時間を延長することができる。
【発明を実施するための最良の形態】
【０００９】
まず、本発明の実施形態の構成について図１，２を用いて説明する。本実施形態の負荷制御システム１は、図２に示すように、照明負荷Ｌ及び電源ＡＣと接続するワイヤレス受信器２と、ワイヤレス受信器２に赤外線信号（ワイヤレス信号）を送信するワイヤレス送信器３とを備えている。なお、負荷としては照明負荷Ｌ以外のもの（例えば換気扇など）であってもよい。
【００１０】
ワイヤレス受信器２は、ワイヤレス送信器３から照明負荷Ｌをオンにさせるためのオン信号を赤外線信号によって受信すると、電源ＡＣから照明負荷Ｌへの給電路を開閉し、照明負荷Ｌのオンオフを制御する。
【００１１】
続いて、ワイヤレス送信器３の機構的構成について図２を用いて説明する。ワイヤレス送信器３は、器体４０と、器体４０の上部に設けられ赤外線を透過させる赤外線透過部４１と、器体４０の前面の左方に枢支され右方で回動自在となる操作ハンドル４２と、操作ハンドル４２の左方に枢支され右方で開閉自在となるハンドルカバー４３とを備えている。
【００１２】
器体４０は合成樹脂によって形成されたものであり、ワイヤレス送信器３の回路を構成する電子部品を実装したプリント配線板（図示せず）が収納されている。また、器体４０の上部には、後述の発光ダイオード３００（図１参照）が複数個収納されている。
【００１３】
赤外線透過部４１は、器体４０に収納されている発光ダイオード３００が発する赤外線を外部に透過させる。
【００１４】
操作ハンドル４２は合成樹脂で矩形状に形成されたものであり、左側部の背面に設けられた軸受部（図示せず）が器体４０の前面に設けられた軸部（図示せず）に回動自在に枢支されることによって、器体４０の前面の左側で回動自在に軸支される。つまり、操作ハンドル４２は、左側端部を支点として前後方向に回動自在に器体４０に取り付けられ、前方から押操作されることを可能とする。また、操作ハンドル４２のうちハンドルカバー４３で覆われる部分には、後述の設定部３６（図１参照）を構成する複数のスイッチの押釦（図示せず）が操作ハンドル４２から露出している。
【００１５】
次に、ワイヤレス送信器３の回路的構成について図１を用いて説明する。ワイヤレス送信器３は、ワイヤレス受信器２に対して照明負荷Ｌをオンにさせるためのオン信号を赤外線信号によって送信する送信部３０と、電池ＤＣが接続される１対の接続端子３１，３２と、１対の接続端子３１，３２間に接続されるバックアップコンデンサ３３と、アノードが接続端子３１と接続しカソードがバックアップコンデンサ３３の一端と接続するダイオード３４と、電池ＤＣ又はバックアップコンデンサ３３によって駆動し現在時刻を計時する時計機能を有するマイクロコンピュータ３５と、照明負荷Ｌの動作保持時間を設定するための設定部３６と、照明負荷Ｌをオン（点灯）にするときに操作ハンドル４２及びハンドルカバー４３（図２参照）を介して押操作される操作部３７と、例えば液晶画面などであって操作ハンドル４２から露出するように器体４０（図２参照）に設けられ現在時刻を表示する時刻表示部３８とを備え、電池ＤＣによって駆動する。
【００１６】
送信部３０は、赤外線を発光するワイヤレス信号送信用の発光ダイオード３００，３００を複数備えている。この送信部３０は、発光ダイオード３００，３００を発光させることによって、オン信号を赤外線信号によってワイヤレス受信器２（図２参照）に送信する。
【００１７】
設定部３６は、使用者による押釦（図示せず）への押操作によって、動作保持時間の開始時刻（点灯開始時刻）と終了時刻（消灯時刻）を設定する。設定部３６で設定された内容は、マイクロコンピュータ３５に出力される。
【００１８】
操作部３７は、操作ハンドル４２（図２参照）によって押操作される押釦（図示せず）を有するタクトスイッチであり、押釦が押操作されたときに操作信号をマイクロコンピュータ３５に出力する。
【００１９】
マイクロコンピュータ３５は電源ＩＣ３５０から電源が供給されて動作するものであり、全ての機能を行うことを可能とする通常モードと、時計機能を維持して動作させるものの、少なくとも送信部３０へのワイヤレス信号の送信制御などを停止して、ワイヤレス送信器３の消費電力を低くする低消費電力モードとを有している。また、マイクロコンピュータ３５には、マイクロコンピュータ３５の動作をリセットするためのリセットＩＣ３５１が接続されている。
【００２０】
通常モードにおいて、マイクロコンピュータ３５は、設定部３６から動作保持時間の開始時刻及び終了時刻を事前に取得し、現在時刻が開始時刻になったときに、ワイヤレス受信器２（図２参照）に向けてオン信号を送信するように送信部３０を制御する。操作部３７から操作信号を取得した場合も、マイクロコンピュータ３５は、ワイヤレス受信器２に向けてオン信号を送信するように送信部３０を制御する。
【００２１】
また、マイクロコンピュータ３５は、接続端子３１の電位と予め設定された閾値とを比較する。このとき、接続端子３１の電位が閾値以上の場合、マイクロコンピュータ３５は通常モードで動作する。これに対して、接続端子３１の電位が閾値より低くなると、マイクロコンピュータ３５は、１対の接続端子３１，３２間に電池ＤＣが装着されていないと判断し、低消費電力モードになる。その後、接続端子３１の電位が閾値以上になると、マイクロコンピュータ３５は通常モードになる。
【００２２】
なお、接続端子３１とバックアップコンデンサ３３の間にダイオード３４を接続しているので、バックアップコンデンサ３３の電流が接続端子３１側に逆流することを防止することができる。
【００２３】
以上、本実施形態によれば、例えば電池交換時などの場合に、マイクロコンピュータ３５が低消費電力モードになり、消費電力を抑えることができるので、現在時刻のバックアップ可能時間を延長することができる。
【図面の簡単な説明】
【００２４】
【図１】実施形態１のワイヤレス送信器のブロック図である。
【図２】同上の負荷制御システムの構成図である。
【図３】従来例のワイヤレス送信器のブロック図である。
【符号の説明】
【００２５】
１  負荷制御システム
２  ワイヤレス受信器
３  ワイヤレス送信器
３１，３２  接続端子
３３  バックアップコンデンサ
３４  ダイオード
３５  マイクロコンピュータ
ＤＣ  電池
【図１】
2008294988.tif 000003
【図２】
2008294988.tif 000004
【図３】
2008294988.tif 000005